(57)【特許請求の範囲】
【請求項１】
操作手段のスタート操作に応答してクロノグラフ針の機械的な規正状態を解除すると共に前記操作手段のリセット操作に応答して前記クロノグラフ針を機械的に帰零して規正する機械的制御手段と、前記操作手段の操作に応答して動作するスイッチ手段と、前記操作手段のスタート操作によって前記スイッチ手段がスタート状態となったときに時間計測動作を開始して前記クロノグラフ針を電気的に運針駆動し、前記操作手段のリセット操作によって前記スイッチ手段がリセット状態となったときに前記時間計測動作を電気的にリセットする電気的制御手段とを有するクロノグラフ時計において、
前記操作手段のスタート操作に応答して、前記機械的制御手段がクロノグラフ針の規正を解除した後に前記スイッチ手段がスタート状態となって、前記電気的制御手段が時間計測動作を開始して前記クロノグラフ針を電気的に運針駆動し、
前記操作手段のリセット操作に応答して、前記スイッチ手段がリセット状態となって前記電気的制御手段が前記時間計測動作を電気的にリセットした後、前記機械的制御手段が前記クロノグラフ針を機械的に帰零して規正し、
前記機械的制御手段は、前記操作手段のスタート操作に応答して移動し前記クロノグラフ針の規正解除を行う第１レバー手段と、前記操作手段のリセット操作に応答して前記クロノグラフ針を帰零して規正する第２レバー手段とを備え、
前記スイッチ手段は、前記第１レバー手段が前記クロノグラフ針の規正解除を行った後にスタート状態となり、前記第２レバー手段が前記クロノグラフ針を帰零して規正する前にリセット状態となり、
前記第１レバー手段は、前記操作手段のスタート操作に応答して移動する復針伝達第二レバーと、前記クロノグラフ針を規正すると共に前記復針伝達第二レバーの移動にともなって移動して前記規正を解除する復針レバーとを有し、
前記スイッチ手段は、前記操作手段のスタート操作に応答して移動するスイッチバネと、前記スイッチバネによって押されることによりスタート状態にされる接点部とを有し、
前記操作手段のスタート操作時に、前記クロノグラフ針の規正解除後に前記接点部が入力されてスタート状態になるように、前記復針伝達第二レバー及び前記復針レバーに対して前記接点部の位置を配置することを特徴とするクロノグラフ時計。
【請求項２】
操作手段のスタート操作に応答してクロノグラフ針の機械的な規正状態を解除すると共に前記操作手段のリセット操作に応答して前記クロノグラフ針を機械的に帰零して規正する機械的制御手段と、前記操作手段の操作に応答して動作するスイッチ手段と、前記操作手段のスタート操作によって前記スイッチ手段がスタート状態となったときに時間計測動作を開始して前記クロノグラフ針を電気的に運針駆動し、前記操作手段のリセット操作によって前記スイッチ手段がリセット状態となったときに前記時間計測動作を電気的にリセットする電気的制御手段とを有するクロノグラフ時計において、
前記操作手段のスタート操作に応答して、前記機械的制御手段がクロノグラフ針の規正を解除した後に前記スイッチ手段がスタート状態となって、前記電気的制御手段が時間計測動作を開始して前記クロノグラフ針を電気的に運針駆動し、
前記操作手段のリセット操作に応答して、前記スイッチ手段がリセット状態となって前記電気的制御手段が前記時間計測動作を電気的にリセットした後、前記機械的制御手段が前記クロノグラフ針を機械的に帰零して規正し、
前記機械的制御手段は、前記操作手段のスタート操作に応答して移動し前記クロノグラフ針の規正解除を行う第１レバー手段と、前記操作手段のリセット操作に応答して前記クロノグラフ針を帰零して規正する第２レバー手段とを備え、
前記スイッチ手段は、前記第１レバー手段が前記クロノグラフ針の規正解除を行った後にスタート状態となり、前記第２レバー手段が前記クロノグラフ針を帰零して規正する前にリセット状態となり、
前記第１レバー手段は、前記操作手段のスタート操作に応答して移動する復針伝達第二レバーと、前記クロノグラフ針を規正すると共に前記復針伝達第二レバーの移動にともなって移動して前記規正を解除する復針レバーとを有し、
前記スイッチ手段は、前記復針レバーによって押されることによりスタート状態にされる接点部を有することを特徴とするクロノグラフ時計。
【発明の詳細な説明】
【技術分野】
【０００１】
本発明は、時刻の指示機能及び時間計測機能を有するクロノグラフ時計に関する。
【背景技術】
【０００２】
従来から、複数の指針を各々駆動するために複数の駆動モータを搭載し、時刻情報の表示を基本機能として更に時間計測行うクロノグラフ機能を搭載したクロノグラフ時計において、各指針の駆動は前記駆動モータによって電気的に行い、クロノグラフ針の帰零や規正をハートカムなどの機械的機構によって行うものが開発されている（例えば、特許文献１参照。）。
【０００３】
特許文献１記載の発明において、帰零操作時のタイミングとしては、リセット信号入力、クロノグラフ輪列の規正、帰零の順が誤動作させないための順序であり（段落［００３０］参照）、又、クロノ（時間計測）スタートの最適なタイミングとしては、帰零解除または規正解除、スタートスイッチ入力の順とするのがスタート誤差をなくす順序である（段落［００３７］参照。）。
したがって、スイッチ入力の接点機構に制約を生じるため、レバーやスイッチバネの構造が複雑となるという問題がある。
【０００４】
また、時間計測動作中にリセット操作された場合、リセットスイッチが入って運針停止するよりも前に規正が行われると、モータが回転できずに、モータの回転位置とモータ駆動回路が内部に記憶している極性とが一致せず、クロノ再スタート時に運針できない状態が生じる。
また、クロノスタート操作において、機構のばらつきによって規正解除される前にスタートスイッチが入りモータ駆動が開始されると、モータが回転しても運針できない状態が生じるという問題がある。クロノグラフ時計のように運針周期が短い場合に問題が顕著となる。
【先行技術文献】
【特許文献】
【０００５】
【特許文献１】特開２００５−３４９３号公報
【発明の概要】
【発明が解決しようとする課題】
【０００６】
本発明は、前記問題点に鑑み成されたもので、クロノグラフ針が電気的に駆動制御され機械的に帰零制御されるクロノグラフ時計において、スタート操作及びリセット操作時に正常な動作を行えるようにすることを課題としている。
【課題を解決するための手段】
【０００７】
本発明によれば、操作手段のスタート操作に応答してクロノグラフ針の機械的な規正状態を解除すると共に前記操作手段のリセット操作に応答して前記クロノグラフ針を機械的に帰零して規正する機械的制御手段と、前記操作手段の操作に応答して動作するスイッチ手段と、前記操作手段のスタート操作によって前記スイッチ手段がスタート状態となったときに時間計測動作を開始して前記クロノグラフ針を電気的に運針駆動し、前記操作手段のリセット操作によって前記スイッチ手段がリセット状態となったときに前記時間計測動作を電気的にリセットする電気的制御手段とを有するクロノグラフ時計において、前記操作手段のスタート操作に応答して、前記機械的制御手段がクロノグラフ針の規正を解除した後に前記スイッチ手段がスタート状態となって、前記電気的制御手段が時間計測動作を開始して前記クロノグラフ針を電気的に運針駆動し、前記操作手段のリセット操作に応答して、前記スイッチ手段がリセット状態となって前記電気的制御手段が前記時間計測動作を電気的にリセットした後、前記機械的制御手段が前記クロノグラフ針を機械的に帰零して規正することを特徴とするクロノグラフ時計が提供される。
【発明の効果】
【０００８】
本発明に係るクロノグラフ時計によれば、スタート操作及びリセット操作時の電気的動作と機械的動作のタイミングを適正化しているため、正常な動作を行うことが可能になる。
【図面の簡単な説明】
【０００９】
【図１】本発明の第１の実施の形態に係るクロノグラフ時計のブロック図である。
【図２】本発明の第１の実施の形態に係るクロノグラフ時計のクロノグラフ機構の機械的構成の概要を示す平面図である。
【図３】本発明の各実施の形態に係るクロノグラフ時計の外観を示す平面図である。
【図４】本発明の第２の実施の形態に係るクロノグラフ時計のブロック図である。
【図５】本発明の第２の実施の形態に係るクロノグラフ時計のクロノグラフ機構の機械的構成の概要を示す平面図である。
【発明を実施するための形態】
【００１０】
本発明の実施の形態に係るクロノグラフ時計１は、図３に示すように、腕時計の形態で、中心軸線Ｃ１のまわりで回転され現在時刻を表示する時刻針（時針１１、分針１２及び秒針１３）を備えると共に、クロノグラフ針（中心軸線Ｃ２のまわりで回転されるクロノグラフ秒針１４及び中心軸線Ｃ３のまわりで回転されるクロノグラフ分針１５）を備える。
例えば、Ｄ１方向に二段引出した状態で巻真１６を回すことにより時刻針１１〜１３を回転することができ又、巻真１６をＤ１方向に一段引出した状態で巻真１６を回すことにより窓を介して表示される日車の日付１７を変更できるように構成されている。クロノグラフ時計１の通常の時刻表示にかかわる動作は通常の電子時計と同じであり、当業者に周知であるので、以下では、通常運針に係る構造や機能や動作については記載を省略する。
【００１１】
クロノグラフ時計１では、クロノグラフ針１４、１５は、ステッピングモータによって電気的に駆動制御され、機械的構成によって帰零制御される。
クロノグラフ時計１では、スタート／ストップボタン１８をＡ１方向に押すことにより、クロノグラフ時計１によるクロノグラフ動作の開始、停止が指示される。より詳しくは、クロノグラフ動作の開始／停止とは、クロノグラフ針１４、１５の運針の開始／停止を指し、後述のようにこれに関連して電気的な駆動系の動作及びクロノグラフ針１４、１５の電気的な位置情報の保持が行われる。但し、場合によっては、クロノグラフ針１４、１５の電気的な位置情報は保持していなくてもよい。
【００１２】
クロノグラフ時計１では、また、リセットボタン１９をＢ１方向に押すことにより、クロノグラフ時計１によるクロノグラフ動作のリセットすなわち初期状態への復帰（帰零）が指示される。より詳しくは、クロノグラフ動作のリセットとは、クロノグラフ針１４、１５の初期位置（正時位置）への強制的な復帰（帰零）、並びにクロノグラフ針１４、１５の運針の規正及びクロノグラフ針１４、１５の電気的な位置情報のリセットを指す。前記クロノグラフ動作の電気的なリセット動作としては具体的には、計測時間のリセット動作及びモータの駆動停止動作を行う。
尚、スタート／ストップボタン１８及びリセットボタン１９は操作手段を構成している。
【００１３】
まず、クロノグラフ時計１のスタート、運針及び帰零にかかわる機械的な構造５及び動作について、主として、図２の（ａ）及び（ｂ）に基づいて説明する。なお、クロノグラフ時計１のスタート、運針及び帰零にかかわる機械的な構造５は、図１のブロック図の左側部分にも簡単に示されている。
クロノグラフ時計１は、通常運針用（時刻針運針用）モータ（図示せず）とは別にクロノグラフ針運針用モータ３５を備え、該クロノグラフ針運針用モータ３５は、回転駆動された際、クロノグラフ針運針用輪列３６を介して、クロノグラフ針１４、１５を運針させる。
【００１４】
前記通常運針用モータやクロノグラフ針運針用モータ３５は、時計用に使用されている周知構成のステッピングモータである。前記ステッピングモータは、ロータ収容孔及びロータの停止位置を決める位置決め部を有するステータと、前記ロータ収容孔内に配設されたロータと、駆動コイルとを有し、前記駆動コイルに交互に極性の異なる交番信号（駆動パルス）を供給して前記ステータに磁束を発生させることによって前記ロータを回転させると共に、前記位置決め部に対応する位置に前記ロータを停止するようにしたステッピングモータである。極性の異なる駆動パルスによって交互に駆動する毎に所定角度（例えば１８０度）ずつ前記ロータが回転し、複数の同相の駆動パルスによって続けて駆動しても最初の駆動パルスによって回転した場合には２番目以降の同相の駆動パルスでは回転しないようになっている。
【００１５】
クロノグラフ時計１は、クロノグラフ秒針１４のあるクロノグラフ秒真２１に取付けられたクロノグラフ秒カム２２及びクロノグラフ分針１５のあるクロノグラフ分真２３に取付けられたクロノグラフ分カム２４を備える。
クロノグラフ時計１は、また、復針伝達第一レバー（以下では、「復針伝達レバーＢ」ともいう）２５、復針伝達第二レバー（以下では、「復針伝達レバーＡ」ともいう）２６及び復針レバー２７を備えると共に、停止レバー２８を備える。
クロノグラフ秒カム２２、クロノグラフ分カム２４及び復針レバー２７は規正機構を構成している。また、復針伝達第二レバー２６及び復針レバー２７は第一レバー手段を構成し、復針伝達第一レバー２５、復針伝達第二レバー２６及び復針レバー２７は第二レバー手段を構成している。
【００１６】
復針伝達第一レバー２５は、基準位置Ｊ１（図２の（ｂ）の実線）と帰零位置Ｊ２（図２の（ａ）の実線で（ｂ）の点線）との間で回動可能であり、位置決めピン２５ａが係合する溝を備えたバネ状位置決め部材２９と係合して、基準位置Ｊ１又は帰零動作位置Ｊ２に位置決めされる。復針伝達第二レバー２６は、長穴２６ａで復針伝達第一レバー２５のピン２５ｂに係合している。復針伝達第一レバー２５が基準位置Ｊ１から帰零位置Ｊ２に移動され位置設定されると、復針伝達第二レバー２６が基準位置Ｋ１（図２の（ｂ）の実線）から帰零位置Ｋ２（図２の（ａ）の実線で（ｂ）の点線）に移動される。
【００１７】
一方、復針伝達第二レバー２６が帰零位置Ｋ２から基準位置Ｋ１に移動され位置設定されると、復針伝達第一レバー２５が帰零位置Ｊ２から基準位置Ｊ１に移動され位置決めされる。
復針レバー２７は、長穴２７ａで復針伝達第二レバー２６のピン２６ｂに係合し、復針伝達第二レバー２６の基準位置Ｋ１又は帰零位置Ｋ２への位置設定に応じて、基準位置Ｍ１（図２の（ｂ）の実線）又は帰零位置Ｍ２（図２の（ａ）の実線で（ｂ）の点線）に位置決めされる。
復針レバー２７が帰零位置Ｍ２に設定されると、復針レバー２７は、秒ハンマー部２７ｂでクロノグラフ秒カム２２を叩いてクロノグラフ秒針１４を初期位置に帰零させると共に、分ハンマー部２７ｃでクロノグラフ分カム２４を叩いてクロノグラフ分針１５を初期位置に帰零させる。
【００１８】
停止レバー２８は、バネ部２８ａ、係合腕部２８ｂ及び係止腕部２８ｃを備え、帰零時の訂正制御位置ないし規正位置Ｅ２（図２の（ａ）の実線で（ｂ）の点線）と訂正制御解除位置ないし規正解除位置Ｅ１（図２の（ｂ）の実線）との間でピン２８ｄのまわりで回動可能である。停止レバー２８の係止腕部２８ｃは、該停止レバー２８が規正位置Ｅ２にある状態ＳＥ２ではクロノグラフ運針用モータ３５のロータ歯車３５ａにつながるクロノグラフ運針用輪列３６のいずれかの車３６ａに対して係合して輪列３６の回転を規正し、停止レバー２８が規正解除位置Ｅ１にある状態ＳＥ１では、輪列３６の車３６ａから離されて、モータ３５のロータ歯車３５ａ及び輪列３６の回転を許容する。
【００１９】
バネ部２８ａにおいて規正位置Ｅ２に向かう方向の偏倚力を受けている停止レバー２８は、復針伝達第一レバー２５が帰零位置Ｊ２から基準位置Ｊ１に回動変位される際に、係合腕部２８ｂにおいて復針伝達第一レバー２５の腕部２５ｄと係合して帰零時の規正位置Ｅ２から規正解除位置Ｅ１に回動変位される。一方、復針第一レバー２５が基準位置Ｊ１から帰零位置Ｊ２に移動されると、該復針第一レバー２５の腕部２５ｄと係合腕部２８ｂとの係合が解除されるので停止レバー２８はバネ部２８ａのバネ力により規正解除位置Ｅ１から規正位置Ｅ２に戻される。
【００２０】
クロノグラフ時計１が、図２の（ａ）に示した帰零（リセット）状態Ｓ２にある際に、スタート／ストップボタン１８がＡ１方向に押圧操作されると、復針伝達第二レバー２６が突起部２６ｃでＡ１方向に押されて位置Ｋ２から位置Ｋ１に変位されると共に、復針伝達第一レバー２５が位置Ｊ２から位置Ｊ１に変位され、復針レバー２７が位置Ｍ２から位置Ｍ１に変位される。これにより、ハンマー部２７ｂ、２７ｃによるハートカム２２、２４及びクロノグラフ針１４、１５の回転規正（帰零制御）が解除される。また、復針伝達第一レバー２５の位置Ｊ２から位置Ｊ１への回動に応じて、該復針伝達第一レバー２５の腕部２５ｄに腕部２８ｂで係合した停止レバー２８が規正位置Ｅ２から規正解除位置Ｅ１に回動され、停止レバー２８の係止腕部２８ｃがクロノグラフ輪列３６から離脱して輪列３６の回転規正（停止制御）を解除する。これにより、機械的制御機構５が状態Ｓ１に戻され、クロノグラフ針１４、１５が回転可能になる。
【００２１】
一方、クロノグラフ時計１が、図２の（ｂ）に示したスタート状態ないし運針状態Ｓ１にある際に、リセットボタン１９がＢ１方向に押圧操作されると、復針伝達第一レバー２５が突起部２５ｃでＢ１方向に押されて復針伝達第一レバー２５が位置Ｊ１から位置Ｊ２に変位される。復針伝達第一レバー２５が位置Ｊ１から位置Ｊ２に変位されると、一方では、該レバー２５に係合した復針伝達第二レバー２６が位置Ｋ１から位置Ｋ２に移動され、該レバー２６に係合した復針レバー２７が位置Ｍ１から位置Ｍ２に移動して、秒ハンマー２７ｂ及び分ハンマー２７ｃが秒ハートカム２２及び分ハートカム２４を叩いてクロノグラフ秒針１４及びクロノグラフ分針１５を帰零させ、他方では、停止レバー２８に対する腕部２５ｄの係止が解除され停止レバー２８が位置Ｅ１から位置Ｅ２に回動されて、腕部２８ｃでクロノグラフ輪列３６に係合して、輪列３６を規正する。
【００２２】
クロノグラフ時計１について、図２の（ａ）及び（ｂ）に示した機械的構造５に関連する範囲で電気的な側面について言えば、次のとおりである。
クロノグラフ時計１が、図２の（ａ）に示したリセット状態Ｓ２にある際に、スタート／ストップボタン１８がＡ１方向に押圧されると（即ち、スタート操作されると）、該スタート／ストップボタン１８はその奥端の近傍においてＡ２方向の偏倚力を及ぼすスタート／ストップスイッチバネ３３を押して、接点部３４を閉じさせ、該接点部３４を介して、スタート信号Ｐａ（図１）を発生させる。
【００２３】
本実施の形態では、レバー２５、２６、２７、スタート／ストップスイッチバネ３３及び接点部３４は、スタート操作時、輪列３６の規正解除（換言すればクロノグラフ針１４、１５の規正解除）が行われた後に、スタート／ストップスイッチバネ３３が接点部３４を閉じるような位置関係に配置されている。
クロノグラフ時計１が、図２の（ｂ）に示したスタート状態Ｓ１にある際に、スタート／ストップボタン１８がＡ１方向に押圧されると、該スタート／ストップボタン１８はスタート／ストップスイッチバネ３３を押して、接点部３４を閉じさせ、該接点部３４を介して、ストップ（停止）信号Ｐｂ（図１）を発生させる。
【００２４】
一方、クロノグラフ時計１が、図２の（ｂ）に示したスタート状態（又はストップ状態）Ｓ１にある際に、リセットボタン１９がＢ１方向に押圧されると、該リセットボタン１９はその奥端の近傍においてＢ２方向の偏倚力を及ぼすリセットスイッチバネ３１を押して、接点部３２を閉じさせ、該接点部３２を介して、リセット信号Ｑａ（図１）を発生させる。
本実施の形態では、レバー２５、２６、２７、リセットスイッチバネ３１及び接点部３２は、リセット操作時、スタート／ストップスイッチバネ３３が接点部３４を閉じた後に、輪列３６の規正（換言すればクロノグラフ針１４、１５の帰零及び規正）が行われるような位置関係に配置されている。
【００２５】
図２（ａ）の帰零状態Ｓ２において、スタート／ストップボタン１８がＡ１方向に押圧された際のスタート動作の開始及び進行を中心に、より詳しく説明すると、スタート／ストップボタン１８のＡ１方向押圧に伴い、復針伝達第二レバー２６の回動に伴う復針レバー２７の回動により機械的な帰零制御状態が解除されると共に、該復針伝達第二レバー２６及び復針伝達第一レバー２５の回動に伴う停止レバー２８の回動により輪列３６の係止（停止制御状態）が解除されて、運針が機械的に許容され（機械的な規正が解除される）、その後、スイッチ接点３４を介して電気的な駆動開始信号Ｐａが出されてこれによりモータ３５の回転駆動が行われる。
【００２６】
次に、クロノグラフ時計１の電気的駆動機構６の概要を、図２の機械的構造５を参照しつつ、主として図１のブロック図に基づいて説明する。尚、機械的構造５は機械的制御手段を構成し、電気的駆動機構６は電気的制御手段を構成している。
クロノグラフ時計１のクロノグラフ運針用モータ３５の回転は、発振回路４１及び分周回路４２を介して与えられるクロックパルスに基づいて駆動制御されるクロノグラフ針運針用モータ３５の駆動制御用集積回路５０によって制御される。
【００２７】
モータ駆動制御用集積回路５０は、基本駆動制御部５１と、駆動パルス発生回路５２と、モータ駆動回路５３と、帰零制御部５４と、回転検出回路５５とを有する。ここで、クロノグラフ針運針用モータ３５の駆動手段は、モータ駆動回路５３からなり、クロノグラフ針運針用モータ３５の駆動制御手段は、基本駆動制御部５１と、駆動パルス発生回路５２と、帰零制御部５４と、回転検出回路５５とを有する。基本駆動制御部５１、駆動パルス発生回路５２及びモータ駆動回路５３は制御手段を構成している。
【００２８】
尚、モータ駆動制御用集積回路５０は、更に、クロノグラフ秒をカウントし該クロノグラフ秒情報を保持するクロノグラフ秒カウンタ５７、及びクロノグラフ分をカウントし該クロノグラフ分情報を保持するクロノグラフ分カウンタ５８を有する。クロノグラフ時をカウントし該クロノグラフ時情報を保持するクロノグラフ時カウンタが更に設けられていてもよい。
【００２９】
基本駆動制御部５１は、クロノグラフ時計１が帰零（リセット）状態Ｓ２にある際におけるスタート／ストップボタン１８の押下げに応じて接点部３４を介して与えられるスタート信号ないし作動信号Ｐａを受信する。
基本駆動制御部５１は、スタート信号ないし作動信号Ｐａを受取ると、チャタリング防止用の短い期間をおいて、駆動制御信号Ｐｄを発する。以下では、特に断わらない限り、スタート信号ないし作動信号Ｐａの受信時点と駆動制御信号Ｐｄの送信時点とは、実質的に同一であるとする。駆動制御信号Ｐｄは、クロノグラフ動作が行われている期間の間は高レベルに保たれる信号である。
基本駆動制御部５１は、また、クロノグラフ時計１がスタート状態Ｓ１にある際におけるスタート／ストップボタン１８の押下げに応じて接点部３４を介して与えられるストップ（停止）信号Ｐｂを受取る（又は接点部３４からのスタート信号ないし作動信号Ｐａの送出が停止される）と、駆動制御信号Ｐｄの送信を停止する。
【００３０】
基本駆動制御部５１からの駆動制御信号Ｐｄはクロノグラフ秒カウンタ５７にも与えられ、クロノグラフ秒カウンタ５７は、駆動制御信号Ｐｄが高レベルに保たれている間、分周回路４２から与えられるクロックパルスを受取ってクロノグラフ秒をカウントすると共に、該駆動制御信号Ｐｄに基づいてクロノグラフとしての計時を開始した時点を始点として該時点から周期Ｔ毎にクロノグラフタイミングパルスＰｈを発する。このパルスＰｈの周期（クロノグラフ針駆動周期）Ｔは、クロノグラフ時計１の計時精度に対応し、例えば、１／１００秒（即ち、１０ｍｓ）である。
【００３１】
駆動パルス発生回路５２は、駆動制御信号Ｐｄを受けると、各クロノグラフタイミングパルスＰｈに応答してクロノグラフ針駆動用の主駆動パルスＧをモータ駆動回路５３に与える。モータ駆動回路５３は、該駆動パルスＧに対応するモータ駆動パルスＵをクロノグラフ針運針用モータ３５に与えて、該モータ３５を回転駆動する。以後、モータ３５は極性の異なる主駆動パルスによって交互に駆動されて所定角度ずつ回転することになる。
【００３２】
このように、図２の（ａ）に示したリセット状態Ｓ２にある際に時間計測動作スタート操作がなされた場合、スタート／ストップボタン１８のＡ１方向への操作→復針伝達第二レバー２６及び復針レバー２７の移動による規正解除→スタート／ストップスイッチバネ３３の押圧による接点部３４の閉成（スタート状態）→接点部３４を介してのスタート信号Ｐａの発生、という順序で動作が行われる
したがって、復針レバー２７と停止レバー２８による規正が解除された後に生じる主駆動パルスによってモータ３５を駆動することが可能になるため、正確な時間計測動作を行うことが可能になる。
【００３３】
クロノグラフ時計１がスタート状態Ｓ１にある際に、基本駆動制御部５１が停止信号Ｐｂを受けると、該駆動制御部５１は、駆動制御信号Ｐｄの送出を停止して（所望ならば、駆動停止信号Ｐｆを与えてもよい）、駆動パルス発生回路５２からの駆動パルスＧの送出が停止され、モータ駆動回路５３によるモータ駆動パルスＵの送出が停止され、クロノグラフ針運針用モータ３５の回転駆動が停止されて、該モータ３５のロータないし出力軸の回転が停止し、クロノグラフ針運針用輪列３６を介するクロノグラフ針１４、１５の運針が停止される。
【００３４】
一方、クロノグラフ時計１がスタート状態Ｓ１にある際に、リセットボタン１９の押圧によりスイッチバネ３１が押下げられて接点部３２が閉じた場合、リセット信号Ｑａが帰零制御部５４に与えられる。帰零制御部５４は、接点部３２からのリセット信号Ｑａを受取ると、駆動パルス発生回路５２に駆動停止信号Ｐｆを与える。その結果、駆動パルス発生回路５２は、駆動パルスＧの発生を停止して、モータ駆動回路５３によるモータ駆動パルスＵの送出を停止させる。従って、クロノグラフ針運針用モータ３５の回転駆動が停止され、クロノグラフ針１４、１５の運針が停止される。その後、復針レバー２７と停止レバー２８による帰零及び規正が行われる。尚、帰零制御部５４は、リセット信号Ｑａの受信に応じて、クロノグラフ秒カウンタ５７及びクロノグラフ分カウンタ５８の内容をゼロにリセットする。
【００３５】
このように、図２の（ｂ）に示したスタート状態（又はストップ状態）Ｓ１にある際にリセット操作がなされた場合、リセットボタン１９のＢ１方向への操作→リセットスイッチバネ３１の押圧による接点部３２の閉成（リセット状態）→接点部３２を介してのリセット信号Ｑａの発生→モータ３５の駆動停止→復針伝達第一レバー２５、復針伝達第二レバー２６、復針レバー２７及び停止レバー２８による帰零と規正、という順序で動作が行われる。
したがって、モータ３５駆動停止後に復針レバー２７と停止レバー２８による帰零及び規正が行われるため、規正によってモータ３５が非回転となるのを防止でき、正確な時間計測動作を行うことが可能になる。
【００３６】
以上のように本実施の形態に係るクロノグラフ時計は、スタート／ストップボタン１８のスタート操作に応答してクロノグラフ針１４、１５の機械的な規正状態を解除すると共にリセットボタン１９のリセット操作に応答して前記クロノグラフ針を機械的に帰零して規正する機械的制御手段と、スタート／ストップボタン１８の操作に応答して動作する接点部３４と、スタート／ストップボタン１８のスタート操作によって接点部３４がスタート状態となったときに時間計測動作を開始してクロノグラフ針１４、１５を電気的に運針駆動し、リセットボタン１９のリセット操作によって接点部３２がリセット状態となったときに前記時間計測動作を電気的にリセットする電気的制御手段とを有するクロノグラフ時計１において、スタート／ストップボタン１８のスタート操作に応答して、前記機械的制御手段がクロノグラフ針の規正を解除した後に、接点部３４がスタート状態となって、前記電気的制御手段が時間計測動作を開始してクロノグラフ針１４、１５を電気的に運針駆動し、リセットボタン１９のリセット操作に応答して、接点部３２がリセット状態となって前記電気的制御手段が時間計測動作を電気的にリセットした後、前記機械的制御手段がクロノグラフ針１４、１５を機械的に帰零して規正するように構成されている。
【００３７】
このように、スタート操作及びリセット操作時の電気的動作と機械的動作のタイミングを適正化しているため、正常な動作を行うことが可能になる。また、クロノグラフ針の回転に対する機械的な規正が解除される前に、クロノグラフ針駆動用のモータ３５が電気的に駆動されて正確な運針が妨げられるのを防ぐことが可能になる。また、構造の複雑化及びこれに要するコストの増加を避けつつ、機械的な駆動制御及び電気的な駆動制御が適切なタイミングで確実に行わせることが可能になる。
【００３８】
具体的には、リセットスイッチ接点３２を復針伝達第一レバー２５が作用する手前に配置し、スタートスイッチ接点３４を復針伝達第二レバー２６及び復針レバー２７が作用する後ろに配置することにより、クロノリセット操作時のスイッチ接点３２入力後の帰零・規正と、クロノスタート操作時の規正解除後のスイッチ接点３４入力の順序を確保することにより、規正によるモータ３５の非回転を防止して運針できない事態の発生を防止することが可能になる。
【００３９】
図４は本発明の第２の実施の形態に係るクロノグラフ時計のブロック図であり、図１と同一部分には同一符号を付している。
また、図５は本発明の第２の実施の形態に係るクロノグラフ時計のクロノグラフ機構の機械的構成を示す平面図であり、図２と同一部分には同一符号を付している。以下、本第２の実施の形態について、前記第１の実施の形態と相違する部分に関して説明する。
【００４０】
スタート操作を行う場合、前記第１の実施の形態ではスタート／ストップボタン１８を操作することによってスイッチバネ３３を押して接点部３４を閉じるように構成したが、本第２の実施の形態ではスタート／ストップボタン１８を操作することによってスイッチバネ３３を押し、スイッチバネ３３が帰零位置Ｋ２の復針伝達第二レバー２６を基準位置Ｋ１に移動させ、これにより復針レバー２７を帰零位置Ｍ２から基準位置Ｍ１へ移動させて復針レバー２７によって接点部３４を閉じるように構成している。
【００４１】
ここで、図５の（ａ）に示したリセット状態Ｓ２にある際に時間計測動作スタート操作がなされた場合、スタート／ストップボタン１８のＡ１方向への操作→スタート／ストップスイッチバネ３３の押圧→復針伝達第二レバー２６及び復針レバー２７の移動による規正解除→接点部３４の閉成（スタート状態）→接点部３４を介してのスタート信号Ｐａの発生という順序で動作が行われる
したがって、復針レバー２７と停止レバー２８による規正が解除された後に主駆動パルスが供給され、該主駆動パルスによってモータ３５を駆動することが可能になるため、正確な時間計測動作を行うことが可能になる。
【００４２】
本第２の実施の形態においてリセット操作を行う場合は、前記第１の実施の形態と同様の動作が行われる。
以上述べたように本第２の実施の形態においても前記第１の実施の形態と同様に、スタート操作及びリセット操作時の電気的動作と機械的動作のタイミングを適正化しているため、正常な動作を行うことが可能になる等の効果を奏する。
【００４３】
尚、前記各実施の形態においては、クロノ秒針が６時側、クロノ分針が９時側に配置されたクロノグラフの例を用いて説明したが、針１３をクロノ秒針として用いるセンタークロノグラフに適用しても良い。
また、接点部３２、３４は、各々、それ自体を開閉スイッチによって構成するようにしてもよい。この場合、接点部３２、３４はスイッチ手段を構成する。また、スタート／ストップ操作やリセット操作の際、接点部３２、３４と接離する部材（スイッチバネ３１、３３、復針レバー２７）を導電部材によって構成し、接点部３２、３４及び前記各部材によって開閉スイッチを構成するようにしてもよい。この場合、接点部３２、３４、スイッチバネ３１、３３、復針レバー２７はスイッチ手段を構成する。
【産業上の利用可能性】
【００４４】
時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにした各種のクロノグラフ時計に適用可能である。
【符号の説明】
【００４５】
１    クロノグラフ時計
５    機械的帰零制御機構
６    電気的駆動機構
１１  時針
１２  分針
１３  秒針
１４  クロノグラフ秒針
１５  クロノグラフ分針
１６  巻真
１７  日付
１８  スタート／ストップボタン
１９  リセットボタン
２１  クロノグラフ秒真
２２  クロノグラフ秒カム
２３  クロノグラフ分真
２４  クロノグラフ分カム
２５  復針伝達第一レバー（復針伝達レバーＢ）
２６  復針伝達第二レバー（復針伝達レバーＡ）
２７  復針レバー
２８  停止レバー
３１  リセットスイッチバネ
３２  接点部
３３  スタート／ストップスイッチバネ
３４  接点部
３５  クロノグラフ針運針用モータ
３６  クロノグラフ針運針用輪列
４１  発振回路
４２  分周回路
５０  モータ駆動制御用集積回路
５１  基本駆動制御部
５２  駆動パルス発生回路
５３  モータ駆動回路
５４  帰零制御部
５５  回転検出回路
５７  クロノグラフ秒カウンタ
５８  クロノグラフ分カウンタ
Ａ１、Ａ２  方向
Ｂ１、Ｂ２  方向
Ｃ１、Ｃ２、Ｃ３  中心軸線
Ｄ１  方向
Ｇ    駆動パルス
Ｊ１、Ｋ１、Ｍ１  基準位置
Ｊ２、Ｋ２、Ｍ２  帰零位置
Ｐａ  スタート信号（作動信号）
Ｐｂ  駆動停止信号
Ｐｄ  駆動制御信号
Ｐｆ  駆動停止信号
Ｑａ  リセット信号
Ｓ１  運針状態
Ｓ２  帰零状態
Ｕ    モータ駆動パルス
【図１】
0005490500.tif 000002
【図２】
0005490500.tif 000003
【図３】
0005490500.tif 000004
【図４】
0005490500.tif 000005
【図５】
0005490500.tif 000006